(57)【要約】【課題】高気圧・高濃度酸素カプセルの開閉部のファスナーにおける空気漏れを確実に防止することができる、高気圧・高濃度酸素カプセル用空気漏れ防止具を得る。【解決手段】空気を注入して膨張させることができるチューブ体を外部ファスナーの底面部及び内部ファスナーの上面部を包囲することができるように長尺輪状に形成すると共に前記長尺輪状内側面に隔壁膜を形成して構成する。そして、該高気圧・高濃度酸素カプセル用空気漏れ防止具を、高気圧・高濃度酸素カプセルの上部内側に設けられた仕切りシート上において外部ファスナーの底面部及び内部ファスナーの上面部を包囲することができる位置に着脱自在に係着する。【選択図】図１
0003120659.tif 000002
【実用新案登録請求の範囲】
【請求項１】
空気を注入して膨張させることができるチューブ体を外部ファスナーの底面部及び内部ファスナーの上面部を包囲することができるように長尺輪状に形成すると共に前記長尺輪状内側面に隔壁膜を形成して構成することを特徴とした、高気圧・高濃度酸素カプセル用空気漏れ防止具。
【請求項２】
高気圧・高濃度酸素カプセル用空気漏れ防止具を、高気圧・高濃度酸素カプセルの上部内側に設けられた仕切りシート上において外部ファスナーの底面部及び内部ファスナーの上面部を包囲することができる位置に着脱自在に係着することができることを特徴とした、請求項１に記載の高気圧・高濃度酸素カプセル用空気漏れ防止具。
【考案の詳細な説明】
【技術分野】
【０００１】  本考案は、空気中の酸素濃度及び気圧を高めたカプセル空間内でくつろぐことにより心身のリラクゼーション効果，疲労回復，ダイエット効果，美容等の数々の効果を得ることができる高気圧・高濃度酸素カプセルに関し、特に該高気圧・高濃度酸素カプセルの開閉部における空気漏れを防止するための防止具に関するものである。
【背景技術】
【０００２】  従来、医療において心筋梗塞や老人性痴呆症等の患者を治療する方法として高圧酸素法がある。該方法は、チャンバと呼ばれるカプセル内に高酸素濃度の空気を１．２気圧程度に注入して加圧し、該チャンバ内に前記患者を１時間程度入れて高圧酸素により治療を行うものである。該高圧酸素治療の公報例として、特開平５−１０３７６５号公報の「高気圧酸素治療装置」では、チャンバ内に心筋梗塞の患者を入れ、酸素又は空気供給装置からの加圧ガスを供与することにより治療を行うと共に血圧測定を行う方法が開示され、特開平８−１５４９８２号公報の「高圧酸素治療装置」では、チャンバ内に老人性痴呆症等の患者を入れ、ヘリウムと酸素を主成分とする混合ガスを高圧と低圧とに交互に切換えて供与することにより治療を行う方法が開示されている。【０００３】  なお、上記高圧酸素治療とは、空気中の酸素濃度を通常の２０．９％より高い３０〜３５％程度にし、気圧を通常の１気圧より高い１．２気圧程度にしたチャンバ内に１時間程度入ることにより、結合型酸素として血液中のヘモグロビンと結合する酸素の量や溶解型酸素として皮膚を透して直接血液や体液に溶け込む酸素の量を増やし、これら２種類の酸素量の増加により体の隅々まで酸素を行き渡らせて細胞を活性化させることにより健康を回復させるものである。【０００４】  上記公報に記載されている高圧酸素治療装置は医療用であるため、チャンバ，空気供給装置，加圧ポンプ，圧力制御装置，バルブ等から構成される高圧酸素治療装置は非常に高価であり、病院以外で使用することはなかった。しかしながら、上記チャンバをナイロンや塩化ビニル素材でカプセル状に形成し、空気供給装置，加圧ポンプ，圧力制御装置，バルブ等を一体化した濃縮酸素供給器とすることにより製品コストが安価となり、近年においては心身のリラクゼーション効果，疲労回復，ダイエット効果，美容等の数々の効果を得る目的でリラクゼーションやエステ等の店舗に導入されている。【０００５】
【特許文献１】特開平５−１０３７６５
【特許文献２】特開平８−１５４９８２
【非特許文献１】高気圧・高濃度酸素セラピーシステム  イオ・Ｏ２クリスタルホームページ  ｈｔｔｐ：／／ｗｗｗ．ｓａｎｓｏ．ｃｃ
【考案の開示】
【考案が解決しようとする課題】
【０００６】  上記ナイロンや塩化ビニル素材で形成された高気圧・高濃度酸素カプセル内に利用者が入るためには、該高気圧・高濃度酸素カプセルの上部にあるファスナーを開閉して入ることになる。該ファスナーは、高気圧・高濃度酸素カプセル内の空気漏れを防止するため、当該高気圧・高濃度酸素カプセルの上部にある外部ファスナーと、上部内側に設けられた仕切りシートにある内部ファスナーの２個のファスナーにて構成されているが、該ファスナーの端部及び接合部より僅かに空気漏れが発生してしまうという問題点があった。このため、濃縮酸素供給器の運転効率が低下してしまうという問題点があった。【０００７】  本考案は、上記問題点を解決するために成されたものであり、空気中の酸素濃度及び気圧を高めたカプセル空間内でくつろぐことにより心身のリラクゼーション効果，疲労回復，ダイエット効果，美容等の数々の効果を得ることができる高気圧・高濃度酸素カプセルの開閉部のファスナーにおける空気漏れを確実に防止することができる、高気圧・高濃度酸素カプセル用空気漏れ防止具を提供することを目的とする。
【課題を解決するための手段】
【０００８】  上記課題を解決するため、本考案の高気圧・高濃度酸素カプセル用空気漏れ防止具は、空気を注入して膨張させることができるチューブ体を外部ファスナーの底面部及び内部ファスナーの上面部を包囲することができるように長尺輪状に形成すると共に前記長尺輪状内側面に隔壁膜を形成して構成する。そして、該高気圧・高濃度酸素カプセル用空気漏れ防止具を、高気圧・高濃度酸素カプセルの上部内側に設けられた仕切りシート上において外部ファスナーの底面部及び内部ファスナーの上面部を包囲することができる位置に着脱自在に係着する。
【考案の効果】
【０００９】  本考案の高気圧・高濃度酸素カプセル用空気漏れ防止具を使用すれば、高気圧・高濃度酸素カプセルの内面上部と仕切りシートとが高気圧・高濃度酸素カプセル用空気漏れ防止具に密着されること及び当該高気圧・高濃度酸素カプセル用空気漏れ防止具の長尺輪状内側面に形成された隔壁膜により高気圧・高濃度酸素カプセル内部の高圧空気が内部ファファスナー側より外部ファスナー側に漏れることが無くなるため、開閉部であるファスナーでの空気漏れを確実に防止することができるという絶大なる効果を奏することができる。このため、濃縮酸素供給器の運転効率の低下も無くなるという効果も奏することができる。
【考案を実施するための最良の形態】
【００１０】  本考案を実施するための最良の形態を図を用いて説明する。【００１１】  図３は本考案の高気圧・高濃度酸素カプセル用空気漏れ防止具の外形図であり、（ａ）は正面図、（ｂ）は側面図である。該図に示すように、高気圧・高濃度酸素カプセル用空気漏れ防止具８は、空気を注入して膨張させることができるチューブ体９を高気圧・高濃度酸素カプセルの外部ファスナーの底面部及び内部ファスナーの上面部を包囲することができるように長尺輪状に形成すると共に前記長尺輪状内側面に隔壁膜１０を形成して構成する。また、前記空気を注入するための空気注入口１３をチューブ体９の任意の一箇所に挿着する。【００１２】  また、高気圧・高濃度酸素カプセル用空気漏れ防止具８の長辺方向の片側に、チューブ体９と略等しい幅を有した保持シート１１を添設すると共に、該保持シート１１の長辺方向の数箇所にホック１２を固設する。更に、高気圧・高濃度酸素カプセルの上部内側に設けられた仕切りシート上において、外部ファスナーの底面部及び内部ファスナーの上面部を包囲することができる位置に前記高気圧・高濃度酸素カプセル用空気漏れ防止具８を着脱自在に係着するため、前記ホック１２と対向する位置に当該ホック１２と嵌合するホック１２ａを固着する。【００１３】  上記チューブ体９，隔壁膜１０及び保持シート１１の材質は、高気圧・高濃度酸素カプセルと同様にナイロンや塩化ビニル素材が好適であるが、特に限定するものではない。また、ホック１２，１２ａの材質や構造も特に限定するものではない。
【実施例】
【００１４】  本考案の実施例を図を用いて説明する。【００１５】  図１は本考案の高気圧・高濃度酸素カプセル用空気漏れ防止具を具備した高気圧・高濃度酸素カプセルの外形図であり、図２は図１におけるＡ−Ａ断面図である。高気圧・高濃度酸素カプセル１の利用時において、高気圧・高濃度酸素カプセル用空気漏れ防止具８を当該高気圧・高濃度酸素カプセル１の上部内側に設けられた仕切りシート６上に係着する必要がある。このため、まず高気圧・高濃度酸素カプセル用空気漏れ防止具８に挿着された空気注入口１３より空気を注入してチューブ体９を膨張させる。次に高気圧・高濃度酸素カプセル用空気漏れ防止具８の長辺方向の片側に添設された保持シート１１上のホック１２を前記仕切りシート６上のホック１２ａと嵌合させて、高気圧・高濃度酸素カプセル用空気漏れ防止具８を仕切りシート６上に係着する。【００１６】  図４は高気圧・高濃度酸素カプセルの使用状態図であり、高気圧・高濃度酸素カプセル１を使用するためには、まずカプセル台１６の上に高気圧・高濃度酸素カプセル１を設置する。該カプセル台１６の上で高気圧・高濃度酸素カプセル１を安定させるため、当該高気圧・高濃度酸素カプセル１の底部には底板３が内設されている。また、高気圧・高濃度酸素カプセル１内の底部にはマット２を敷設する。該高気圧・高濃度酸素カプセル１の先端面及び後端面には空気供給バルブ４が固設され、何れか一方の空気供給バルブ４に濃縮酸素供給チューブ１８を接続する。更に、該濃縮酸素供給チューブ１８の他端側を濃縮酸素供給器１７と接続したコントロールボックス１９に接続する。次に高気圧・高濃度酸素カプセル１内に利用者が入り、前記コントロールボックス１９にて圧力監視を行いながら高濃度酸素を濃縮酸素供給チューブ１８を経由して高気圧・高濃度酸素カプセル１内に注入する。なお、利用者の状態を確認するための窓１５が高気圧・高濃度酸素カプセル１の一端側両側面に具備される。【００１７】  高気圧・高濃度酸素カプセル１内に高気圧・高濃度酸素が十分注入されると、高気圧・高濃度酸素カプセル１及び仕切りシート６が外側に膨張する。該状態において、高気圧・高濃度酸素カプセル用空気漏れ防止具８は高気圧・高濃度酸素カプセル１の内面上部と仕切りシート６とに密着される。更に、高気圧・高濃度酸素カプセル用空気漏れ防止具８のチューブ体９が外部ファスナー５の底面部及び内部ファスナー７の上面部を包囲すると共に、内部ファスナー７より漏れた空気はチューブ体９に形成された隔壁膜１０にて遮断されるため、高気圧・高濃度酸素カプセル１より漏れることがない。従って、濃縮酸素供給器１７より効率よく高濃度酸素を高気圧・高濃度酸素カプセル１内に供給することができる。【００１８】  なお、上記説明においてはナイロンや塩化ビニル素材で形成された高気圧・高濃度酸素カプセル１における開閉部の空気漏れを防止するための高気圧・高濃度酸素カプセル用空気漏れ防止具８について説明したが、異なる形状や構造を有した高気圧・高濃度酸素カプセルにおける開閉部の空気漏れを防止する場合においても同様の構成にすることにより使用することができるものである。
【図面の簡単な説明】
【００１９】
【図１】本考案の高気圧・高濃度酸素カプセル用空気漏れ防止具を具備した高気圧・高濃度酸素カプセルの外形図である。
【図２】図１におけるＡ−Ａ断面図である。
【図３】本考案の高気圧・高濃度酸素カプセル用空気漏れ防止具の外形図である。
【図４】高気圧・高濃度酸素カプセルの使用状態図である。
【符号の説明】
【００２０】１  高気圧・高濃度酸素カプセル
２  マット
３  底板
４  空気供給バルブ
５  外部ファスナー
６  仕切りシート
７  内部ファスナー
８  空気漏れ防止具
９  チューブ体
１０  隔壁膜
１１  保持シート
１２  ホック
１３  空気注入口
１４  空気
１５  窓
１６  カプセル台
１７  濃縮酸素供給器
１８  濃縮酸素供給チューブ
１９  コントロールボックス
【図１】
0003120659.tif 000003
【図２】
0003120659.tif 000004
【図３】
0003120659.tif 000005
【図４】
0003120659.tif 000006